(57)【要約】      （修正有）【課題】排尿時に局部を出しやすくした男性用ズボン又は下着を提供する。【解決手段】前身部の排尿用開閉部を前身部の左右中心線より左及び/又は右にずれた部位に直線状に設けられたことを特徴とする。【選択図】図２
0003103385.tif 000002
【実用新案登録請求の範囲】
【請求項１】
前身部の排尿用開閉部が、前身部の左右中心線より左及び／又は右にずれた部位に直線状に設けられたことを特徴とするズボン又は下着。
【請求項２】
排尿用開閉部が、前身部の左右中心線と平行に設けられたことを特徴とする請求項１記載のズボン又は下着。
【請求項３】
局部保護帯及び／又は排尿用開閉部が伸縮性のある素材であることを特徴とする請求項１乃至請求項２記載のズボン又は下着。
【請求項４】
排尿用開閉帯が設けられていないことを特徴とする請求項１乃至３記載のズボン又は下着。
【考案の詳細な説明】
【技術分野】
【０００１】  本考案は、前身部に排尿用開閉部を設けた男性用ズボン又は下着に関するものである。
【背景技術】
【０００２】  従来のズボンは、排尿用開閉部が前身部の左右中心線に設けられており、主にファスナーで開閉が出来るようになっていた。また、下着においてはズボン同様に排尿用開閉部が前身部の左右中心線に設けられてボタン等で排尿用開閉部から排尿時以外に局部が出ることがないようになっているようなトランクスタイプのものや、排尿用開閉部が全体的には左右中心線より向かってやや左寄りに位置し、排尿時に局部を出しやすくするために排尿用開閉部が湾曲して設けられ、排尿時以外に局部が出ることのないように局部が位置する部位の生地が深く２重に重なって排尿用開閉帯を形成しているブリーフタイプやボクサータイプのものがあった。【０００３】  トランクスタイプの下着は、排尿しやすい形状であるものの、全体的にゆったりとしており、体との密着性に乏しいために排尿時でない時にまで局部がはみ出してしまったり、幼児や高齢者においては、下半身を冷やしてしまう等の理由において敬遠されている。【０００４】  ブリーフタイプやボクサータイプの下着においては、全体的に体との密着感があるために着用時に局部がはみ出すこともなく、下半身を冷やすこともないが、排尿用開閉帯の生地が深く２重になっているために、局部を出すのにトランクスタイプに比べ時間を要する。また幼児の場合は、局部が短いため容易に局部を出すことが出来ない。
【考案の開示】
【考案が解決しようとする課題】
【０００５】  これらの下着着用時に排尿する場合においては、ズボンと下着の双方をすべて下ろして排尿するか、従来の排尿用開閉部を利用して排尿していた。しかしながら、ズボンや下着をすべて下ろして排尿すると、ズボンや下着が濡れて不快な思いをすることがあった。また、従来の排尿用開閉部から局部を出す場合においては、下着の排尿用開閉部の布が深く２重に重なって排尿用開閉帯を形成していることから、自分で排尿することが困難な人、例えば、幼児、老人、怪我をした人、或いは車椅子を使用している人、その他何らかの援助（介護）を要する人達が排尿をする際においては、局部を下着より出し、更にズボンの前身部排尿用開閉部より出して排尿することは非常に困難であり、時間を要していた。そのため、幼児などは排尿に間に合わず、下着やズボンを濡らし、非常に不快な思いをしていた。【０００６】  従来の下着やズボンを着用した場合、援助（介護）を要する人にとっても、援助（介護）をする人にとっても局部を出すことが困難であり時間を要するので精神的ストレスを与えていた。そのため、排尿用開閉部を利用せずに、下着の脚部挿入口から局部を出し、更にズボンの排尿用開閉部から局部を出すか又はズボンを下ろして、排尿していた。このような場合は、下着から局部を出すことが容易にはなるものの、ズボンの排尿用開閉部から出すことは依然困難である。また、下着の脚部挿入口が伸びてしまうという問題点があった。
【課題を解決するための手段】
【０００７】  本考案は、前身部の排尿用開閉部を前身部の左右中心線より左及び／又は右にずれた部位に直線状に設けられたことを特徴とするズボン又は下着である。【０００８】  本考案におけるズボンとは、半ズボン、長ズボン、キュロット、タイツ、スパッツ、ズボン下等、両足を左右分けて挿入する事を特徴とする衣類を指し、幼児用、大人用を問わない。【０００９】  本考案における下着とは、トランクスタイプを除く下着を指し、ブリーフタイプやボクサータイプなどが挙げられる。【００１０】  本考案のズボンの排尿用開閉部は、前身部の左右中心線より左右にずれて直線状に設けられていればよく、左側、右側いずれか一方だけに設けても、左右ともに設けても良い。使用性、コスト面の利点から、排尿用開閉部は、前身部の左右中心線と平行に設けると更に良い。本考案でいう、平行とは、数学的に完全に平行であることを指すのものではないことは言うまでもない。【００１１】  本考案のズボンの排尿用開閉部は、幼児用大人用を問わず、腰部に貫通して設けられていても、貫通せず設けられていても良い。腰部まで貫通して設けられていると大人が排便する際に便利であるが、幼児が排尿する際においては、誤ってズボンがずり落ちてしまう場合がある。排尿用開閉部を腰部に貫通せず設けると幼児が排尿する際においてずり落ち防止になり更に便利である。【００１２】  本考案のズボン又は下着の排尿用開閉部は、止め具を設けても設けなくても良い。止め具を設ける場合は、ファスナー、ボタン、マジックテープ（商標名）、スナップ等を使用することが出来る。また、ファスナーは、上から下向きに開閉するだけでなく、下から上向きに開閉できるように取りつけても良い。親などの援助者が幼児に付き添って排尿する際は、下から上向きに開閉できるように取りつけた場合、援助者が開閉するのに便利である。【００１３】  本考案のズボン又は下着の排尿用開閉部は、援助を要する人や援助をする人が局部の出し入れをする際の妨げにならない程度に布が重なり合っていても良いが、出来る限り重なり部分が少ない方が良い。【００１４】  本考案のズボン又は下着の排尿用開閉部の長さは特に限定されないが、股部より下部まで排尿用開閉部が位置するとより排尿作業が行ないやすい。【００１５】  本考案のズボン又は下着の局部保護部及び／又は排尿用開閉部は特に伸縮性を要するものではないが、伸縮性のある素材を用いることで局部が安定すると共に排尿用開閉部から局部が誤ってはみ出してしまうことや、生地が伸びてしまうことを防ぐことが出来る。
【考案の効果】
【００１６】  本考案のズボン又は下着は、排尿用開閉部が前身部中心線上に無いので排尿時以外に局部が誤って出てしまうことが無い。排尿時においては、排尿用開閉部の生地が深く重なりあっていないので局部を出すことが容易に出来る。
本考案のズボン及び／又は下着を使用することにより、衣類を汚すことなく容易に排尿をすることが出来、援助（介護）者が付き添う場合においても、援助（介護）者及び援助（介護）される者双方の負担が軽減される。
【考案を実施するための最良の形態及び実施例】
【００１７】本考案にかかるズボン又は下着について実施例を示して説明するが、本考案が実施例に限定されないことはいうまでもない。
【００１８】図１は、従来のブリーフ型下着の正面図である。従来のブリーフ型下着は、前身部左右中心線（１）より向かってやや左寄りに排尿用開閉部（２）が湾曲して設けられており、排尿用開閉部（２）は前後に生地が深く２重になって排尿用開閉帯（斜線部）（３）を形成していため、排尿を困難にしていた。
【実施例１】
【００１９】図２は、排尿用開閉部を１ヶ所設けたブリーフ型下着の正面図である。前身部左右中心線（１）からずれた位置に排尿用開閉部（２）を直線状に設けられ、排尿用開閉帯が無いため、幼児でも容易に排尿をすることが可能である。
【実施例２】
【００２０】図３は、排尿用開閉部を２ヶ所設けたボクサー型下着の正面図である。前身部左右中心線（１）の左右に排尿用開閉部（２）を直線状に設ける。排尿用開閉部（２）は従来の下着のように深く重なり合った排尿用開閉帯を形成していないため、幼児でも容易に排尿をすることが可能であるとともに、利き手に応じて排尿用開閉部（２）を選択することが出来、また、援助（介護）者が、排尿を援助（介護）する場合においても便利である。
【実施例３】
【００２１】図４は、排尿用開閉部を２ヶ所設けたブリーフ型下着の正面図である。前身部左右中心線（１）の左右に排尿用開閉部（２）を直線上に設ける。排尿用開閉部（２）及び／又は局部保護部（斜線部）（６）を伸縮性のある素材を用いると、局部が安定するので、排尿時以外においての使用性が向上する。
【実施例４】
【００２２】図５は、排尿用開閉部を腰部まで貫通して設けたズボンの正面図である。前身部左右中心線（１）よりずれた位置に排尿用開閉部（２）を腰部（５）まで貫通して直線上に設ける。排便時以外にズボンが落ちないように、腰部（５）に止め具（７）を設ける。本考案下着と併用すると、排尿用開閉部（２）が同位置に存在しするので、幼児が一人で排尿することができる。従来の下着を着用していた場合においても、局部を下着の脚部挿入口から局部を出すと、排尿用開閉部（２）から局部を出しやすくなり、排尿を容易に行なうことが出来る。また、援助（介護）者が、排尿を援助（介護）する場合においても素早く行なうことが出来るで、援助（介護）者、非援助（非介護）者にとって精神的負担が軽減される。
【実施例５】
【００２３】図６は、腰部まで貫通しない状態で排尿用開閉部を２ヶ所設けたズボンの正面図である。前身部左右中心線（１）の左右に排尿用開閉部（２）を腰部（５）まで貫通し無い状態で直線上に設ける。止め具がないので腰部（５）が軽量化され、幼児が排尿する際にズボンがずれ落ちることを防止することが出来る。また、排尿用開閉部（２）が２個所あるので、利き手に応じて選択することが出来、また、援助（介護）者が、排尿を援助（介護）する場合においても便利である。
【図面の簡単な説明】
【図１】従来のブリーフ型下着の正面図
【図２】排尿用開閉部を１ヶ所設けたブリーフ型下着の正面図
【図３】排尿用開閉部を２ヶ所設けたボクサー型下着の正面図
【図４】排尿用開閉帯が伸縮性の生地であるブリーフ型下着の正面図
【図５】排尿用開閉部が１ヶ所のズボン（貫通型）の正面図
【図６】排尿用開閉部が２個所のズボン（非貫通型）の正面図
【符号の説明】
（１）前身部左右中心線
（２）排尿用開閉部
（３）排尿用開閉帯
（４）脚部挿入口
（５）腰部
（６）局部保護部
（７）止め具
【図１】
0003103385.tif 000003
【図２】
0003103385.tif 000004
【図３】
0003103385.tif 000005
【図４】
0003103385.tif 000006
【図５】
0003103385.tif 000007
【図６】
0003103385.tif 000008